(57)【要約】【課題】同期メールで添付ファイル付き電子メールを送信する場合に、添付ファイルを必要とする受信者のみに対して添付ファイル付きの電子メールを、添付ファイルが不要な受信者には本文メールのみを容易な操作で送信できると共に添付ファイルを送った受信者、送らなかった受信者を知ることができる電子メール送信装置を得る。【解決手段】入力部１０１と、各部起動制御部１０２と、ファイル名選択部１０３と、メールアドレス選択部１０４と、受信者選択部１０５と、添付付き受信者数判定部１０６と、添付判断部１１０と、メール作成部１１６と、通信部１１７等を備えて、添付ファイルを複数のアドレスに対して送信する場合に、この中から添付ファイルを本当に必要とする受信相手のみに添付ファイルを付けた本文メールを送信する。【選択図】　　　図１
2004102717.tif 000002
【特許請求の範囲】
【請求項１】
受信者リストから受信者を選択して受信者リストとして保存すると共に、添付するファイルを選択させて、この選択された添付ファイルを電子メール作成の本文メールに添付して前記選択された受信者宛に送信させる電子メール送信装置において、
前記選択された受信者が複数かどうかを判定する手段と、
前記複数と判定したときは、前記選択された受信者の中で前記添付ファイルの添付先を設定させる添付受信者選択画面を表示させる手段と、
前記添付受信者選択画面で選択された添付ファイル受信者のアドレスを添付要受信者リストとして保存する手段と、
前記受信者リストと前記添付要受信者リストとを比較し、添付ファイルを必要とする受信者の本文メールには前記添付ファイルを付けない受信者アドレスを追記し、また前記添付ファイルを不要とする受信者の本文メールには前記添付ファイルを必要とする受信者のアドレスを追記して送信する添付判定付きメール作成手段と
を有することを特徴とする電子メール送信装置。
【請求項２】
添付判定付きメール作成手段は、
前記受信者リストと前記添付要受信者リストとを比較し、添付ファイルを必要とする受信者と、添付ファイルが不要な受信者とを分離する手段と、
前記添付ファイルを必要とする受信者の本文メールに、前記添付ファイルを不要とする受信者のアドレスを追記した第１の電子メールを前記添付ファイルを必要とする受信者宛に送信させる手段と、
前記添付ファイルを不要とする受信者の本文メールに、前記添付ファイルを必要とする受信者のアドレスを追記した第２の電子メールを前記添付ファイルを不要とする受信者宛に送信させる手段と
を有することを特徴とする請求項１記載の電子メール送信装置。
【発明の詳細な説明】
【０００１】
【発明の属する技術分野】
本発明は電子メール送信装置に関し、特に受信相手が多数存在する場合に、添付ファイルを必要とする受信者に対してのみ添付ファイルを送信させる電子メール送信装置に関する。
【０００２】
【従来の技術】
近年の電子メールのプログラムは、インターネットを利用して、同期メールとして複数のアドレスに同一文章を送信する場合がある。このような場合において、メール本文を付けて、さらに詳細な情報として添付ファイルをメール本文に送信することもある。
【０００３】
一方、特願平１０−２７７６９９号公報（特許文献１）の電子メールシステムは、容易なユーザインターフェースにより、電子メールに添付ファイルの指定を行うことができるシステムである。
【０００４】
図１１はユーザインターフェースの画面を説明する説明図である。この画面は、コマンドのためのボタンを表示するエリアと、宛先リストウインドウ３１１と、メッセージウインドウ３１２とから構成されている。
【０００５】
オペレータが送信ボタン３０１をクリックすると、システムに電子メールを送信すべく指令が送られて電子メールが送信される。
【０００６】
また、取消ボタン３０２をクリックすると、処理が終了する。これらのボタンをクリックするには、例えばマウスのときにはポインタ３１３をそのボタンに合わせてクリックする。
【０００７】
また、宛先ウインドウ３１１には、添付ファイル選択マトリックス３０４と、指示を与えるためのコマンドボタンが並んでいる。
【０００８】
添付ファイル選択マトリックス３０４は、行方向はアドレス情報、列方向は、ファイル名情報から成るマトリックスであり、この交点をマウスでクリックすることにより、行方向のアドレス情報に示されたアドレスに送る電子メールに対して列方向のファイル名称からなる添付ファイルを添付して送信するためのマトリックスである。
【０００９】
すなわち、アドレス欄に対応させて添付書類リストを表示し、この添付リストから選択したファイル名を送信するアドレス欄の表示欄３０６に埋め込んで行くことにより、添付するアドレス先を決定している。
【００１０】
【特許文献１】
特願平１０−２７７６９９号公報
【００１１】
【発明が解決しようとする課題】
しかしながら、本文に添付ファイルを添付した場合において、メールを上記の同期メール（ＣＣ）で送信した場合は、添付ファイルが必要でない受信者にも送信してしまうという課題があった。
【００１２】
また、一般に添付ファイルのデータ量はメール本文に対して大容量であるので、ネットワーク負荷が大きい。
【００１３】
さらに、添付ファイルが不要な受信者に取っては、本文以外に大容量の添付ファイルを受信することになるので、ディスクの容量を圧迫していた。
【００１４】
一方、上記の従来の特願平１０−２７７６９９号公報の電子メールシステムは、添付書類リストから受信相手に応じた添付書類をマトリックスに埋め込んでいくものであるので、多数の受信相手がマトリックスに表示されている場合に、多数の添付書類がある場合は、受信相手と添付ファイルの対応付けをとるのが容易ではないと共に、添付書類の受信相手先を誤るという課題があった。
【００１５】
本発明は以上の課題を解決するためになされたもので、同期メールで添付ファイル付き電子メールを送信する場合に、添付ファイルを必要とする受信者のみに対して添付ファイル付きの電子メールを、添付ファイルが不要な受信者には本文メールのみを容易な操作で送信できると共に添付ファイルを送った受信者、送らなかった受信者を知ることができる電子メール送信装置を得ることを目的とする。
【００１６】
【課題を解決するための手段】
本発明の電子メール送信装置は、受信者リストから受信者を選択して受信者リストとして保存すると共に、添付するファイルを選択させて、この選択された添付ファイルを電子メール作成の本文メールに添付して前記選択された受信者宛に送信させる電子メール送信装置において、前記選択された受信者が複数かどうかを判定する手段と、前記複数と判定したときは、前記選択された受信者の中で前記添付ファイルの添付先を設定させる添付受信者選択画面を表示させる手段と、前記添付受信者選択画面で選択された添付ファイル受信者のアドレスを添付要受信者リストとして保存する手段と、前記受信者リストと前記添付要受信者リストとを比較し、添付ファイルを必要とする受信者の本文メールには前記添付ファイルを付けない受信者アドレスを追記し、また前記添付ファイルを不要とする受信者の本文メールには前記添付ファイルを必要とする受信者のアドレスを追記して送信する添付判定付きメール作成手段とを備えたことを要旨とする。
【００１７】
【発明の実施の形態】
図１は本実施の形態の電子メール送信装置の概略構成図である。電子メール装置１０は図１に示すように、入力部１０１と、各部起動制御部１０２と、ファイル名選択部１０３と、メールアドレス選択部１０４と、受信者選択部１０５と、添付付き受信者数判定部１０６と、添付判断部１１０と、メール作成部１１６と、通信部１１７等を備えて、添付ファイルを複数のアドレスに対して送信する場合に、この中から添付ファイルを本当に必要とする受信相手のみに添付ファイルを付けた本文メールを送信する。
【００１８】
つまり、複数の送信相手（受信者ともいう）が存在するときは添付判断部１１０を通して添付ファイルを必要とする送信相手を判断して送信させる。
【００１９】
（各部の説明）
入力部１０１は、マウス又はキーボードに接続され、入力された要求を内部に取り込み、各部起動制御部１０２に渡す。
【００２０】
各部起動制御部１０２は、入力部１０１からの要求を解読し、メール送信要求のときは該当する処理を起動させると共に、各部からのデータを所定の形式で画面１００に表示する。
【００２１】
ファイル名選択部１０３は、起動に伴って、所望の記憶領域を選択させる画面を表示（図示せず）し、選択された記憶領域領域（ファイル１１８ａ、１１８ｂ、…）のファイル名（フォルダ）を画面１００に表示し、入力部１０１からの選択されたファイル名（以下選択添付ファイルＴＭＰｉという）を選択添付ファイルリスト１０９に保存する。
【００２２】
メールアドレス選択部１０４は、起動に伴って、メールアドレスファイル１１９のメールアドレスを画面１００に表示させ、入力部１０１からの選択されたメールアドレスＨｉを選択受信者アドレスリスト１０７に保存する。
【００２３】
受信者数判定部１０６は、メールアドレス選択部１０４から受信者アドレスの選択が終わったことが知らせられると、選択受信者アドレスリスト１０７を参照し、選択受信者アドレスＨｉが複数かどうかを判定し、複数の場合は添付つき受信者選択部１０５を起動する。また、選択受信者アドレスＨｉが一人の場合は、メール作成部１１６を起動させて、選択添付ファイルＴＭＰｉを添付させて送信させる。
【００２４】
添付つき受信者選択部１０５は、受信者が複数の場合に起動され、選択受信者アドレスリスト１０７の全ての受信者アドレスを画面に表示させる。また、選択添付ファイルＴＭＰｉを必要とする受信者を指定させ、この指定された受信者を添付ファイル要受信者ＴＨｉとして添付ファイル要受信者リスト１０８に保存する。
【００２５】
添付判断部１１０は、添付ファイル要者判定処理１１１と、添付ファイル要・不要者リスト作成処理１１２等を備え、添付ファイル要受信者リスト１０８の受信者と選択受信者アドレスリスト１０７の受信者数とに基づいて、添付ファイルを必要とする受信者（ＫＨｉ）と添付ファイルを不要とする受信者（ＮＨｉ）とに分けて、添付ファイル付きのメール又は添付ファイルなしのメールをメール作成部に生成させる。
【００２６】
添付ファイル要者判定処理１１１は、選択受信者アドレスリスト１０７の選択受信者アドレスＨｉの数と、添付ファイル要受信者リスト１０８の添付ファイル要受信者ＴＨｉの数とを比較し、添付ファイルを必要とする受信者が全てかどうかを判定する。
【００２７】
全ての受信者が必要とする場合はメール作成部１１６を起動させて、全ての受信者に添付ファイルを付けさせる。
【００２８】
また、全てではなく何人かが添付ファイルを必要としている場合は、添付ファイル要・不要者リスト作成処理１１２を起動させる。
【００２９】
添付ファイル要・不要者リスト作成処理１１２は、添付ファイル要受信者リスト１０８の添付ファイル要受信者ＴＨｉと、選択受信者アドレスリスト１０７の選択受信者アドレスＨｉと比較し、添付ファイルを必要とする受信者のアドレスを添付ファイル要者ＫＨｉとして添付ファイル要者リスト１１４に保存し、添付ファイルを不要とする受信者のアドレスを添付ファイル不要者ＮＨｉとして添付ファイル不要者リスト１１３に保存する。
【００３０】
メール作成部１１６は、受信者数判定部１０６が一人の受信者で添付判断部１１０の添付ファイル要者判定処理１１１が添付全てと判定しているときは、画面に生成されているメール本体１１５を取り込むと共に、選択添付ファイルリスト１０９の選択添付ファイルＴＭＰｉをエンコードした後に、メール本体１１５に添付して一時待機メールＭｉとして保存しサーバ設定データを読み込んで通信部１１７に送出する。
【００３１】
つまり、メール作成部１１６は添付不要者用メール作成処理、添付用者メール作成処理を備え、添付不要者用メール作成処理は添付ファイル不要者ＮＨｉのアドレスを添付なしに設定すると共に、添付ファイル要求者リスト１１４の添付ファイル要者のアドレスＫＨｉを本文に追記したメールを作成して通信部１１７を用いて送信させる。
【００３２】
添付用者メール作成処理は、添付ファイル要者ＫＨｉのアドレスを添付ありに設定すると共に、添付ファイル不要者リスト１１３の添付ファイル不要者のアドレスＮＨｉを本文に追記したメールを作成して通信部１１７を用いて送信させる。
【００３３】
通信部１１７は、ＩＳＰに接続した後に、一時待機メールＭｉをサーバ設定データを読み込んで送信する。
【００３４】
上記のように構成されたメール送信装置について図２、図３、図４のフローチャートを用いて動作を以下に説明する。
【００３５】
初めに、入力部１０１からメール作成のコマンドが入力すると、各部起動制御部１０２はメール作成部１１６を用いて図５に示すリンクメール画面を表示させる。
【００３６】
この状態において、ファイル選択部１０３は、データが保存されている記憶領域の選択があるかどうかを監視する（Ｓ２０１）。
【００３７】
本実施の形態では、ファイル名選択部１０３が所望の記憶領域を選択させる画面を開く（図示せず）。この画面の中から希望の記憶領域（ファイル１１８ａ、１１８ｂ、…）のファイル名（フォルダ）が選択されたとする。
【００３８】
ステップＳ２０１において、記憶領域が入力部１０１によって選択されると、ファイル名選択部１０３は、その記憶領域に保存されているデータ名（フォルダ）の一覧をファイル１１８から読み出して画面１００に表示する（Ｓ２０２）。
【００３９】
そして、入力部１０１によって選択されたファイルを選択添付ファイルＴＭＰｉとして選択添付ファイルリスト１０９に保存すると共に、図５の添付ファイル名領域Ｇ１に選択添付ファイルＴＭＰｉを書き込む（Ｓ２０３）。本実施の形態で選択添付ファイルＴＭＰｉは１個とする（以下ＴＭＰ１という）。
【００４０】
次に、メールアドレス選択部１０４は、メールアドレスファイル１１９のメールアドレス一覧を画面１００に開いて（Ｓ２０４）、入力部１０１からの選択されたメールアドレス（以下選択受信者アドレスＨｉという）を選択受信者アドレスリスト１０７に保存すると共に、図５の受信者アドレス欄Ｇ２に書き込む（Ｓ２０５）。
【００４１】
そして、受信者数判定部１０６は、メールアドレス選択部１０４から受信者アドレスの選択が終わったことが知らせられると、選択受信者アドレスリスト１０７を参照し、選択受信者アドレスＨｉが複数かどうかを判定する（Ｓ２０６）。
【００４２】
ステップＳ２０６において、複数と判定した場合は添付つき受信者選択部１０５を起動する。この添付つき受信者選択部１０５は、選択受信者アドレスＨｉが複数の場合は図６に示すように、添付先選択ボタンＢｉを領域Ｇ３に表示する（Ｓ２０７）。
【００４３】
次に、添付つき受信者選択部１０５は、添付先選択ボタンＢｉが選択されたときは、図７に示す添付ファイルを添付するアドレス選択ダイアログを画面に表示する（Ｓ２０９）。例えば選択受信者アドレスリスト１０７に図６に示すように、３名の選択受信者アドレスＨ１（ａｄｄｒｅｓｓ１＠ｄｏｍａｉｎ．ｃｏ．ｊｐ）、選択受信者アドレスＨ２（ａｄｄｒｅｓｓ２＠ｄｏｍａｉｎ．ｃｏ．ｊｐ）、選択受信者アドレスＨ３（ａｄｄｒｅｓｓ３＠ｄｏｍａｉｎ．ｃｏ．ｊｐ）が存在する場合はこれらをアドレス選択ダイアログに表示し、この中から選択された選択受信者アドレスＨｉを添付ファイル要受信者リスト１０８に保存（添付ファイル要受信者ＴＨ１、ＴＨ２、ＴＨ３）する（Ｓ２１０）。本実施の形態では選択受信者アドレスＨ１、Ｈ３、Ｈ４を選択したとする。
【００４４】
次に、添付判断部１１０の添付ファイル要者判定処理１１１は、選択受信者アドレスリスト１０７の選択受信者アドレスＨｉの数と、添付ファイル要受信者リスト１０８の添付ファイル要受信者ＴＨｉの数とを比較し、添付ファイルを必要とする受信者が全てかどうかを判定する（Ｓ２１１）。
【００４５】
ステップＳ２１１で全ての受信者が添付ファイルを必要としていると判定した場合は（Ｈｉが３名でＴＨｉが３名の場合）、メール作成部１１６を起動させて、メールを作成させる（Ｓ２１２）。例えば「添付ファイルを付けて送る」とするメールＲ０を作成する（図６を参照）。
【００４６】
メール作成部１１６は、選択添付ファイルリスト１０９に保存されている選択添付ファイルＴＭＰ１の実データをファイル１１８から読み込み、これをエンコードする（Ｓ２１３）。
【００４７】
次に、ステップＳ２１２で作成させたメール本文Ｒｏに、エンコードした添付ファイルを添付し（Ｓ２１４）、選択受信者アドレスＨＩ、Ｈ２、Ｈ３を添付ファイルを付けるアドレスに設定（全ての受信者が添付ファイルを必要とする場合）はする（Ｓ２１５）。
【００４８】
次に、各選択受信者アドレスＴＨｉを添付ファイルを付けるアドレスに設定した後に、このメールＲ０を送信待機メールＭ１としてサーバに保存する（Ｓ２１６）。
【００４９】
通信部１１７は、ＩＳＰへ接続を開始して保存している送信待機メールＭ１を送信する（Ｓ２１７）。つまり、３名の受信者に添付ファイルが添付されて送信される。
【００５０】
また、ステップＳ２１１で添付ファイル要者判定処理１１１が全ての選択受信者アドレスＨｉに添付ファイルを付けないと判定したときは（例えば、選択受信者アドレスが３名で、添付ファイル要受信者ＴＨｉが１名）、添付判断部１１０の添付ファイル要・不要者リスト作成部１１２が添付ファイル要受信者リスト１０８の添付ファイル要受信者ＴＨｉと、選択受信者アドレスリスト１０７の選択受信者アドレスＨｉと比較し（Ｓ２２０）、添付ファイルを必要とする添付ファイル要受信者ＴＨｉを添付ファイル要者ＫＨｉとして添付ファイル要者リスト１１４に保存する。また、添付ファイルを不要とする選択受信者アドレスＨｉを添付ファイル不要者ＮＨｉとして添付ファイル不要者リスト１１３に保存する（Ｓ２２１）。
【００５１】
一方、メール作成部１１６は図３に示すように、添付ファイルを付けない受信者が何人かいることが知らせられたときは、添付不要者用メール作成処理と、添付メール要者メール作成処理を行う。
【００５２】
添付不要者用メール作成処理は、添付ファイル不要者リスト１１３を読み（Ｓ３０１）、添付ファイルを付けない添付ファイル不要者ＮＨｉを添付ファイルなしに設定する（Ｓ３０２）。例えば、本実施の形態ではａｄｄｒｅｓｓ１＠ｄｏｍａｉｎ．ｃｏ．ｊｐがＮＨ１として添付ファイル不要者リストに保存され、添付ファイル要者リスト１１４に、ａｄｄｒｅｓｓ２＠ｄｏｍａｉｎ．ｃｏ．ｊｐと、ａｄｄｒｅｓｓ３＠ｄｏｍａｉｎ．ｃｏ．ｊｐとが添付ファイル要者ＫＨ２、ＫＨ３として保存されている場合は、ａｄｄｒｅｓｓ１＠ｄｏｍａｉｎ．ｃｏ．ｊｐであるＮＨ１が添付ファイルなしに設定される。
【００５３】
次に、メール本文Ｒ１「添付ファイルはない」を作成させ（Ｓ３０３）、このメール本文Ｒ１にａｄｄｒｅｓｓ２＠ｄｏｍａｉｎ．ｃｏ．ｊｐとａｄｄｒｅｓｓ３＠ｄｏｍａｉｎ．ｃｏ．ｊｐとをコピーして追記する（Ｓ３０４）。例えば図８に示すメール本文Ｒ１が生成されることになる。つまり、図８に示すように、本文には添付ファイルを添付した受信者アドレスが追記されている。このため、受信者側はだれに必要な添付ファイルを送ったかが分かる。また、ａｄｄｒｅｓｓ１には、添付ファイルは送信されてこないので、ａｄｄｒｅｓｓ１側の受信者は容量を低減できることになる。
【００５４】
次に、このメール本文Ｒ１を通信部１１７が待機メールＭ１として保存し（Ｓ３０５）、ＩＳＰへ接続した後に（Ｓ３０６）、この待機メールＭ１をサーバに送信する（Ｓ３０７）。
【００５５】
一方、添付要求者メール作成処理は、添付ファイル要求者リスト１１４をファイルを読み（Ｓ３１０）、これらの受信者アドレスを添付ファイル有りに設定する（Ｓ３１１）。例えば、ａｄｄｒｅｓｓ１＠ｄｏｍａｉｎ．ｃｏ．ｊｐと、ａｄｄｒｅｓｓ３＠ｄｏｍａｉｎ．ｃｏ．ｊｐとが添付ファイル要者リスト１１４に設定されている場合には、ａｄｄｒｅｓｓ１＠ｄｏｍａｉｎ．ｃｏ．ｊｐと、ａｄｄｒｅｓｓ３＠ｄｏｍａｉｎ．ｃｏ．ｊｐとが添付ファイル有りに設定される。
【００５６】
次に、メール本文Ｒ２を作成し（Ｓ３１２）、この本文Ｒ２に添付ファイル不要者リスト１１３の添付ファイル不要者ＮＨ２を追記（図９を参照）する（Ｓ３１３）。
【００５７】
次に、添付メールｔｉｍｐ１をエンコードして（Ｓ３１４）、添付ファイルを付ける（Ｓ３１５）。次に送信待機メールＭ２として保存し（Ｓ３１６）、ＩＳＰへ接続して（Ｓ３１７）、この待機メールを送信する。従って、ａｄｄｒｅｓｓ１＠ｄｏｍａｉｎ．ｃｏ．ｊｐと、ａｄｄｒｅｓｓ３＠ｄｏｍａｉｎ．ｃｏ．ｊｐの受信者は誰に添付メールを添付して送らなかったかが分かる。
【００５８】
また、ステップＳ２０６において受信者数判定部１０６が送信アドレスＨｉが複数ではないと判定したときは（例えば、ａｄｄｒｅｓｓ１＠ｄｏｍａｉｎ．ｃｏ．ｊｐのみに添付ファイルを送信する場合）、メール作成部１１６を起動させて、この受信者アドレスを知らせる。
【００５９】
メール作成部１１６は、この受信者アドレスを添付ファイル有りに設定する（Ｓ４０１）。例えば、ａｄｄｒｅｓｓ１＠ｄｏｍａｉｎ．ｃｏ．ｊｐが添付ファイル有りに設定される。
【００６０】
次に、メール本文Ｒを作成し（４０２）、この本文Ｒに添付される添付ファイルＴＭＰｉをエンコードして（Ｓ４０３）、添付ファイルを付ける（Ｓ４０４）。次に送信待機メールＭとして保存し（４０５）、ＩＳＰへ接続して（Ｓ４０６）、この待機メールを送信する（Ｓ４０７）。
【００６１】
ここで、クライアント端末とサーバとの基本的なやりとりについて図１０を用いて説明する。
【００６２】
メールクライアントはメールサーバにＴＣＰでの接続をこころ見る。つまり、２台の端末間で仮想的な回線を確保する。
【００６３】
次に２台のマシンが一対一で通信できるようにしておいて、ＳＭＴＰのコマンドとその応答メッセージをやりとりする、
そして、ＴＣＰでつながると、サーバは自分のドメイン名、サーバソフト名お、バージョン等を返す。
【００６４】
そして、メールコマンドからＨｅコマンドとドメイン名等を送ると、サーバから「ＯＫ」が返送される。
【００６５】
次にメールクライアントはＭＡＬＬ　ＦＲＯＭコマンドを使って受信者のメールアドレスをメールサーバに送る。
【００６６】
そして、メールを送る宛先の指定を行う（ＲＣＰＴ　ＴＯ　コマンド）。次に、メール本体をサーバに送信を宣言して（ＤＡＴＡコマンド）、「ＯＫ」が返って来たらメール本体をサーバに送る。
【００６７】
メール本体の送信が終わると、ピリオド、改行コードなどを送り、ＱＵＩＴコマンドでＳＭＴＰの接続を終了し、ＴＣＰ接続の切断を行う。
【００６８】
【発明の効果】
以上のように本発明によれば、電子メールを送りつける受信者が複数存在し、かつ添付メールがあるときには、これらの受信者の中で添付ファイルを添付させる添付受信者選択画面を表示させて、添付ファイルを必要とする受信者と不要とする受信者とを入力させる。
【００６９】
そして、添付ファイルを必要とする受信者の本文メールには添付ファイルを付けない受信者アドレスを追記し、また添付ファイルを不要とする受信者の本文メールには添付ファイルを必要とする受信者のアドレスを追記して送信する。
【００７０】
従って、添付ファイルが必要でない受信者には本文のみが送信されるので、ディスクの容量を圧迫することがないという効果が得られている。
【００７１】
また、添付ファイル付きで送った者と、添付ファイルを付けないで送ったものが誰であるかが本文メールの内容で分かるという効果が得られている。
【図面の簡単な説明】
【図１】本実施の形態の電子メール送信装置の概略構成図である。
【図２】本実施の形態の電子メール送信装置の動作を説明するフローチャートである。
【図３】本実施の形態の電子メール送信装置の動作を説明するフローチャートである。
【図４】本実施の形態の電子メール送信装置の動作を説明するフローチャートである。
【図５】リンクメールの初期画面の説明図である。
【図６】添付先選択ボタン付きリンクメールの説明図である。
【図７】添付ファイルを添付するアドレス選択ダイアログの説明図である。
【図８】本実施の形態の本文メールの説明図である。
【図９】本実施の形態の本文メールの説明図である。
【図１０】クライアントとサーバの電子メールのやりとりを説明する説明図である。
【図１１】特願平１０−２７７６９９号公報のユーザインターフェースの画面の説明図である。
【符号の説明】
１０１　入力部
１０２　各部起動制御部
１０３　ファイル名選択部
１０４　メールアドレス選択部
１０５　受信者選択部
１０６　添付付き受信者数判定部
１１０　添付判断部
１１６　メール作成部
１１７　通信部
【図１】
2004102717.tif 000003
【図２】
2004102717.tif 000004
【図３】
2004102717.tif 000005
【図４】
2004102717.tif 000006
【図５】
2004102717.tif 000007
【図６】
2004102717.tif 000008
【図７】
2004102717.tif 000009
【図８】
2004102717.tif 000010
【図９】
2004102717.tif 000011
【図１０】
2004102717.tif 000012
【図１１】
2004102717.tif 000013